(57)【要約】【課題】  光レベルでパス切替可能な光クロスコネクト装置を提供し、光ネットワークの実現に貢献する。【解決手段】  複数の光入力信号を複数の光出力信号に振り分ける光スイッチ１３０と、光入力信号の光レベルを検出する光レベルモニタ部１２０と、光スイッチ１３０と光レベルモニタ部１２０と接続され、パス切替テーブルを保持するパス切替管理部１１３を含み、光レベルモニタ部１２０が検出した光入力信号の断を検出したとき、パス切替テーブルを参照して光スイッチ１３０の切替要否を判断する制御部１１０と、を含むことによって、パスの端局ノードにも中継ノードにも適用可能な光クロスコネクト装置１００とすることができる。【選択図】  図５
2006033580.tif 000002
【特許請求の範囲】
【請求項１】
光信号をＷＤＭ網に伝送する光クロスコネクト装置であって、
複数の光入力信号を複数の光出力信号に振り分ける光スイッチと、
前記光入力信号の光レベルを検出する光レベルモニタ部と、
前記光スイッチと前記光レベルモニタ部とに接続され、パス切替管理テーブルを保持するパス切替管理部を含み、前記光レベルモニタ部が検出した前記光入力信号の断を検出したとき、前記パス切替管理テーブルを参照して前記光スイッチの切替要否を判断する制御部と、
からなる光クロスコネクト装置。
【請求項２】
送信ポートを選択して受信ポートからの光信号を送出する光スイッチと、前記光信号の光レベルを検出する光レベルモニタ部と、前記光レベルモニタ部の検出結果に基づいて前記光スイッチを制御する制御部と、からなり、
前記制御部は、パス切替管理テーブルを保持するパス切替管理部を含み、前記光レベルモニタ部が前記光信号の断を検出したとき、前記パス切替管理テーブルを参照して前記光スイッチの切替要否を判断することを特徴とする光クロスコネクト装置。
【請求項３】
請求項１または請求項２に記載の光クロスコネクト装置であって、
前記パス切替管理テーブルは、受信ポートごとの障害情報と、接続先情報と、選択／非選択情報とを含むことを特徴とする光クロスコネクト装置。
【請求項４】
第１ないし第３の受信ポートからの光信号を、第１および第２の送信ポートに割り振る光クロスコネクト装置であって、
前記第１の受信ポートからの光信号の断を検出したとき、前記第１の受信ポートと前記第１の送信ポートとの接続を維持し、
前記第２の受信ポートからの光信号の断を検出したとき、前記第２の受信ポートと接続されていた前記第２の送信ポートの接続元を、前記第２の受信ポートから前記第３の受信ポートに切り替えることを特徴とする光クロスコネクト装置。
【請求項５】
請求項４に記載の光クロスコネクト装置であって、
光信号の断を検出したとき送信ポートとの接続を維持する受信ポートと、光信号の断を検出したとき送信ポートとの接続を切り替える受信ポートとは、任意に設定しうる光クロスコネクト装置。
【請求項６】
請求項４または請求項５に記載の光クロスコネクト装置であって、
前記第１ないし第３の受信ポートからの光信号を、前記第１および第２の送信ポートに対応付ける光スイッチと、
前記第１ないし第３の受信ポートからの光信号の光レベルをモニタする光レベルモニタ部と、
前記光レベルモニタ部のモニタ結果に基づいて前記光スイッチを制御する制御部と、をさらに含み、
前記制御部は、パス切替管理テーブルを記録するパス切替管理部を含み、前記光レベルモニタ部が前記第１ないし第３の受信ポートからの光入力信号のいずれか一つの断を検出したとき、前記パス切替管理テーブルを参照して前記光スイッチの切替要否を判断することを特徴とする光クロスコネクト装置。
【請求項７】
第１のパスと第２のパスに含まれる光クロスコネクト装置であって、
前記第１のパスの中継ノードとして、前記第１のパスの光信号入力の断を検出したとき、前記第１のパスの接続を維持し、
前記第２のパスの端局ノードとして、前記第２のパスの対向する端局ノードからの光信号の断を検出したとき、前記第２のパスを選択系から非選択系に切り替えることを特徴とする光クロスコネクト装置。
【請求項８】
第１のクライアント装置から受信した光信号を第１の伝送路に送出する第１の光クロスコネクト装置と、前記第１の伝送路から受信した光信号を第２のクライアント装置に送出する第２の光クロスコネクト装置と、からなる光伝送システムであって、
前記第１の光クロスコネクト装置と、前記第２の光クロスコネクト装置とは、さらに第２の伝送路と、第３の伝送路と、第４の伝送路と、で接続され、
前記第２の光クロスコネクト装置は、前記第２のクライアント装置から受信した光信号を前記第２の伝送路に送出し、
前記第１の光クロスコネクト装置は、前記第２の伝送路から受信した光信号を前記第１のクライアント装置に送出し、
前記第２の光クロスコネクト装置は、前記第１の伝送路から受信した光信号の断を検出したとき、受信する伝送路を前記第１の伝送路から前記第３の伝送路に切り替え、さらに送信する伝送路を前記第２の伝送路から前記第４の伝送路に切り替え、
前記第１の光クロスコネクト装置は、前記第２の伝送路から受信した光信号の断を検出したとき、受信する伝送路を前記第２の伝送路から前記第４の伝送路に切り替え、さらに送信する伝送路を前記第１の伝送路から前記第の伝送路に切り替えることを特徴とする光伝送システム。
【発明の詳細な説明】
【技術分野】
【０００１】
本発明は、光クロスコネクト装置および光クロスコネクト装置を用いた光伝送システムに係り、特に光レベルのパス切替を実現する光クロスコネクト装置および光クロスコネクト装置を用いた光伝送システムに関する。
【背景技術】
【０００２】
近年、データトラフィックの急増により、伝送ネットワークの高速・大容量化の要求がある。この高速・大容量化に対応して、光信号を波長分割多重（Wavelength Division Multiplexing、以下ＷＤＭと呼ぶ）を用いた光伝送装置（ＷＤＭ装置）が、ネットワークに採用されている。ＷＤＭでは、１０Ｇｂｉｔ／ｓの高速光信号を波長多重し、最大８０ｋｍにもおよぶ距離を、伝送可能である。このように、光信号を用いるのは、１０Ｇｂｉｔ／ｓの高速信号の方路切替（スイッチング）は、電気信号では困難で、一旦１５０Ｍｂｉｔ／ｓ程度の速度に、シリアル／パラレル変換してから実施しなければならないためである。これに対して、１０Ｇｂｉｔ／ｓの高速光信号では、スイッチングに１ｍｓ程度の時間を要するものの、そのままスイッチングできるので、一旦信号速度を落とす必要がない。また、光のままでスイッチングするので、様々な信号フォーマットに対応できる透過性を有するという利点もある。
【０００３】
光クロスコネクト装置（Optical CROSS-Connect、以下ＯＸＣ装置）は、上述したＷＤＭ装置で形成されたＷＤＭ網に接続し、光のままの方路切替を行なう装置である。ＯＸＣ装置は、一般にＷＤＭ網に接続するだけでなく、大規模ルータまたはデジタルクロスコネクト装置であるクライアント装置とも接続される。２台のクライアント装置間の通信を行なう２台のＯＸＣ装置の伝送路区間を、パスと呼ぶ。このパスには、第３のＯＸＣ装置が含まれることもある。この第３のＯＸＣ装置は、前述のクライアント装置から見ると単に光信号を通過させているだけであり、ＯＸＣ装置に設けた光スイッチの接続は、固定されているように見える。しかし、この第３のＯＸＣ装置と第４のＯＸＣ装置との間で、パスを形成する場合もある。なお、ＯＸＣ装置間の伝送区間を、スパンと呼ぶ。
【０００４】
ＯＸＣ装置を使用せず、電気信号でスイッチングする場合、上記第３のＯＸＣ装置に相当する伝送装置では、通過する光信号に相当する低速の電気信号を、伝送装置間で直接接続することが、しばしば行なわれている。このような場合は、ネットワークは、柔軟性を喪失していることになる。
【０００５】
クライアント装置間の通信の冗長性を確保するため、クライアント装置間で、予備のパスを設定することが、検討されている。しかし、光レベルでのパス切替は、標準化機関であるＩＴＵ−Ｔ、ＩＥＴＦでは勧告等がなく、決まっていない。したがって、異なるメーカの仕様の異なるＯＸＣ装置を対向して接続することは、現状ではできない。
【０００６】
ＳＤＨ／ＳＯＮＥＴのような電話回線を前提としたプロコトルでは、主信号に重畳された制御チャネルを用いて回線切替を瞬時に実施できる。特許文献１には、回線切替機能を持たないプロトコルを用いて通信を行なうシステムにおいて、回線切替装置が、現用系の障害検出時に回線を切り替え、対向する回線切替装置に切替要求信号を送出して、選択した回線を一致させる回線切替システムが記載されている。特許文献１では、端末が接続された伝送装置と、ネットワークを接続する伝送装置が、固定的に定めたことを前提としている。また、回線切替装置の回線切替は、電気信号によるものであり、光スイッチについて記載がない。
【０００７】
特許文献２には、光カプラを用いて光信号を２分岐し、予備伝送路の障害を監視する光クロスコネクト装置が記載されている。しかし、分岐による光信号損失については、記載がない。
非特許文献１には、上述した背景技術と、ブリッジとセレクタを用いた光パスのプロテクション技術が記載されている。
【０００８】
【特許文献１】特開２００４−１０４１８６号公報
【特許文献２】特開２００３−１１５７９８号公報
【非特許文献１】妹尾尚一郎、“全光ネットワークに向けた光クロスコネクト技術”、[online]、２００３年２月１９日、ＰＩＬ  ワークショップ２００３、[平成１６年６月２５日検索]、インターネット＜http://www.jk.ws32.arena.ne.jp/wk0219/pdf/b-4.pdf＞
【発明の開示】
【発明が解決しようとする課題】
【０００９】
光レベルでのパス切替は、標準化機関であるＩＴＵ−Ｔ、ＩＥＴＦでは勧告等がなく、標準として決まっていない。このため、仕様の異なるＯＸＣ装置を対向して接続することは、現状ではできず、インターオペラビリティに欠けていた。一方、ＯＸＣ装置を用いないネットワークでは、高速信号を一旦低速な信号群に変換してからスイッチングする必要があった。また、ネットワークの柔軟性が欠けていた。
【００１０】
本発明の目的は、上述した問題点を解消する光クロスコネクト装置、光伝送システムを提供することにある。
本発明を適用することによって、インターオペラビリティを確保し、波長多重網の適用促進に貢献することができる。
【課題を解決するための手段】
【００１１】
前記目的は、複数の光入力信号を複数の光出力信号に振り分ける光スイッチと、光入力信号の光レベルを検出する光レベルモニタ部と、光スイッチと光レベルモニタ部と接続し、パス切替管理テーブルを記録するパス切替管理部と、光レベルモニタ部が検出した光入力信号の断を検出したとき、パス切替管理テーブルを参照して光スイッチの切替要否を判断する制御部と、を含む光クロスコネクト装置とすることで達成可能である。
【発明の効果】
【００１２】
本発明に拠れば、光レベルのパス切替が実施できる光クロスコネクト装置、光伝送システムを得ることができる。
【発明を実施するための最良の形態】
【００１３】
以下、本発明の実施の形態を、実施例を用いて図面を参照しながら説明する。ここで、図１は、ＷＤＭ網の構成と障害伝播を説明する図である。図２は、本発明の実施例を説明する光ネットワークのブロック図であり、正常状態を示す。図３は、本発明の実施例を説明する光ネットワークのブロック図であり、障害を検出した状態を示す。図４は、本発明の実施例を説明する光ネットワークのブロック図であり、パス切替完了状態を示す。図５は、本発明の実施例を説明するパス切替のシーケンス図である。図６は、本発明の実施例を説明する正常時の端局ノードのＯＸＣ装置の動作を説明する図である。図７は、本発明の実施例を説明する障害発生時の端局ノードのＯＸＣ装置の動作を説明する図である。図８は、本発明の実施例を説明する切替過渡時の端局ノードのＯＸＣ装置の動作を説明する図である。図９は、本発明の実施例を説明する切替完了時の端局ノードのＯＸＣ装置の動作を説明する図である。図１０は、本発明の実施例を説明する遷移先をまとめた切替状態遷移表である。図１１は、本発明の実施例を説明する状態遷移図である。図１２ないし図１５は、本発明の実施例を説明するＯＸＣ装置のパス切替管理テーブルである。そして、図１６は、本発明の実施例を説明するＯＸＣ装置のパス切替管理テーブルを書き換えるフローチャートである。
【００１４】
図１において、トリビュータリからの光信号は、送信ＷＤＭ装置９００の送信トランスポンダ９２０で受信される。送信トランスポンダ９２０は、光信号に波長多重区間で有効なＯＴＮ（Optical Transport Network）管理情報を付加し、波長多重用にナノメータオーダーで管理された波長に変換する。１６台のトランスポンダ９２０の送信波長は、いずれも異なっている。波長多重部９１０は、１６波長を多重し、伝送路６００に送出する。
【００１５】
伝送路６００から送られてきた波長多重信号は、受信ＷＤＭ装置９５０の波長分離部９６０で、１６波に波長分離される。波長分離された光信号は、受信トランスポンダ９７０で受信される。受信トランスポンダ９７０は、ＯＴＮ管理情報を終端し、波長多重区間の状態をモニタし、トリビュータリ側へ元通りのフォーマットに変換して送信する。
【００１６】
図１（ａ）は、波長多重区間である伝送路６００で障害が発生した場合を説明する図である。伝送路６００の障害は、波長多重信号の障害であり、波長分離された光信号は、すべて断状態にある。波長分離された光信号が断状態のとき、受信トランスポンダ９７０は、その出力を停止することは、デファクト標準になっている。ここで、図中で、”×”マークをつけた場所で、信号が断状態にある。なお、送信トランスポンダ９２０と波長多重部９１０との間の障害は、１波だけの障害として、同様に当該受信トランスポンダ９７０の出力が、断になる。
【００１７】
図１（ｂ）は、トリビュータリ入力断の障害を説明する図である。送信ＷＤＭ装置９００の１６本のトリビュータリ入力のうち１本が切れると、当該送信トランスポンダ９２０は、断を検出し、ＩＴＵ−Ｔで標準化された断検出信号を波長多重部９１０に送信する。断検出信号は、そのまま伝送路６００、波長分離部９６０を経由して、該当する受信トランスポンダ９７０で受信される。受信トランスポンダ９７０は、断検出信号を受信し、トリビュータリへの出力を停止する。ここで、断検出信号を受信した受信トランスポンダが、出力を停止することも、デファクト標準になっている。なお、波長分離部９６０と受信トランスポンダ９７０との間の障害も同様に、当該受信トランスポンダ９７０の出力が、断になる。
【００１８】
図１で説明したように、送信ＷＤＭ装置９００と受信ＷＤＭ装置９５０で構成されたＷＤＭ網で発生した障害は、いずれも対向する受信ＷＤＭ装置９５０の該当するトランスポンダ９７０の出力断として、トリビュータリ側に、通知される。
【００１９】
図２ないし図１６を用いて本発明の実施例を説明する。
図２において、クライアント装置１０とクライアント装置３０との間の通信を考える。現用系パスは、ＯＸＣ装置１００と、ＯＸＣ装置１００に接続するＷＤＭ装置５００と、対向するＷＤＭ装置５１０と、ＷＤＭ装置５１０に接続するＯＸＣ装置２００と、ＯＸＣ装置２００に接続するＷＤＭ装置５２０と、対向するＷＤＭ装置５３０と、パスを終端するＯＸＣ装置４００とから構成されている。予備系パスは、ＯＸＣ装置１００と、ＯＸＣ装置１００に接続するＷＤＭ装置５７０と、対向するＷＤＭ装置５６０と、ＷＤＭ装置５６０に接続するＯＸＣ装置３００と、ＯＸＣ装置３００に接続するＷＤＭ装置５５０と、対向するＷＤＭ装置５４０と、パスを終端するＯＸＣ装置４００とから構成されている。
【００２０】
ＯＸＣ装置１００には、クライアント装置１０、２０が接続され、ＯＸＣ装置２００には、クライアント装置５０が接続され、ＯＸＣ装置３００には、クライアント装置６０が接続され、ＯＸＣ装置４００には、クライアント装置３０、４０が接続されている。しかし、本実施例では、クライアント装置１０とクライアント装置３０との間の通信のみを考える。
【００２１】
パスの一端のＯＸＣ装置１００は、ポート１Ｒでクライアント装置１０からの信号を受信し、その内部スイッチは、出力先としてポート２Ｔを選択している。また、クライアント装置１０への出力用ポート１Ｔは、ＯＸＣ装置１００のポート２Ｒを選択するよう、内部スイッチが制御されている。これに対して、図中で破線で示したのは、予備系を選択した場合の、内部スイッチの接続であり、ＯＸＣ装置１００のポート１Ｒはポート５Ｔと接続し、ポート１Ｔはポート５Ｒと接続する。同様に、パスの他端のＯＸＣ装置４００は、ポート１Ｒでクライアント装置３０からの信号を受信し、その内部スイッチは、出力先としてポート２Ｔを選択している。また、クライアント装置１０への出力用ポート１Ｔは、ＯＸＣ装置４００のポート２Ｒを選択するよう、内部スイッチが制御されている。これに対して、予備系を選択した場合、内部スイッチは、ＯＸＣ装置４００のポート１Ｒはポート５Ｔと接続し、ポート１Ｔはポート５Ｒと接続する。
一方、パスの内部に配置されたＯＸＣ装置２００、３００では、このパスについては、固定の接続である。
【００２２】
ＷＤＭ装置５００は、双方向のＷＤＭ装置であり、波長λ１（ラムダ１）用のトランスポンダ５０１、λ２用のトランスポンダ５０２、λ３用のトランスポンダ５０３と、波長多重部５０４と、波長分離部５０５で構成されている。ここで、λ１ないしλ３の波長は、波長多重用にナノメータオーダで管理された波長である。ＷＤＭ装置５１０〜５７０は、基本的にＷＤＭ装置５００と同じ構成であるので、説明を省略する。ＷＤＭ装置５００とＷＤＭ装置５１０とは、光ファイバ６０１、６０２で相互に接続し、ＷＤＭ網を構成する。他のＷＤＭ装置５２０〜５７０も対向するＷＤＭ装置とＷＤＭ網を構成する。また、クロスコネクト装置２００とクロスコネクト装置３００との間にも同様のＷＤＭ網が形成されている。
なお、図２に示すネットワークで、クライアント装置１０、２０と、ＯＸＣ装置１００と、ＷＤＭ装置５００、５７０とは、通常同一のサイトに置かれる。同様に、クライアント装置３０、４０と、ＯＸＣ装置４００と、ＷＤＭ装置５３０、５４０とは、通常同一のサイトに置かれる。また、クライアント装置５０と、ＯＸＣ装置２００と、ＷＤＭ装置５１０、５２０とは、通常同一のサイトに置かれる。同様に、クライアント装置６０と、ＯＸＣ装置３００と、ＷＤＭ装置５５０、５６０とは、通常同一のサイトに置かれる。ここでサイトとは、例えば局舎であり、同じ管理者の管理エリアでる。サイト間の距離は、光中継増幅局を用いない場合で、最大８０ｋｍであり、光中継増幅局を用いた場合、１０００ｋｍを超えることも可能である。
【００２３】
次に信号の流れを説明する。ここで、図示の簡便のためＷＤＭ網の内部の動作は、ＯＸＣ装置１００とＯＸＣ装置２００との間のＷＤＭ網についてのみ説明するが、他のＷＤＭ網でも同様である。
クライアント装置１０からの光信号は、ＯＸＣ装置１００のポート１Ｒに入力され、内部スイッチによりポート２Ｔに出力される。ポート２Ｔは、ＷＤＭ装置５００の送受信トランスポンダ５０１に接続されている。このため、光信号は、送受信トランスポンダ５０１で、波長多重区間である伝送路６０１で有効なＯＴＮ管理情報を付加され、波長λ１に変換される。波長多重部５０４は、送受信トランスポンダ５０１からの波長λ１の光信号と、送受信トランスポンダ５０２からの波長λ２の光信号と、送受信トランスポンダ５０３からの波長λ３の光信号とを多重し、波長多重光信号を光ファイバ６０１に送出する。
【００２４】
光ファイバ６０１から送られてきた波長多重光信号は、ＷＤＭ装置５００に対向するＷＤＭ装置５１０の波長分離部５１５で波長分離される。波長分離部５１５は、波長λ１の光信号を送受信トランスポンダ５１１に、波長λ２の光信号を送受信トランスポンダ５１２に、波長λ３の光信号を送受信トランスポンダ５１３に送信する。送受信トランスポンダ５１１は、波長λ１の光信号を受信して、ＯＴＮ管理情報を終端し、波長多重区間の状態をモニタし、波長変換する（送受信トランスポンダ５１１の一連の動作を、ＯＴＮ終端と呼ぶ）。送受信トランスポンダ５１１の送信側は、ＯＸＣ装置２００のポート２Ｒと接続されているので、光信号は、ＯＸＣ装置２００のポート２Ｒに送られる。ＯＸＣ装置２００のポート２Ｒはポート５Ｔに接続し、ポート５ＴはＷＤＭ装置５２０に接続されている。したがって、光信号は、ＷＤＭ装置５２０で再び波長λ１に変換され、光ファイバ６０３を経由して、ＷＤＭ装置５２０に対向するＷＤＭ装置５３０で受信される。光信号は、ＷＤＭ装置５３０に接続するＯＸＣ装置４００のポートに入力される。ＯＸＣ装置４００は、ポート２Ｒの出力先としてポート１Ｔを選択し、ポート１Ｔには、クライアント装置３０が接続されている。したがって、クライアント装置１０が送信した光信号は、クライアント装置３０で受信される。
【００２５】
一方、クライアント装置３０からの光信号は、ＯＸＣ装置４００のポート１Ｒ、ポート２Ｔを介して、ＷＤＭ装置５３０に入力される。光信号は、ＷＤＭ装置５３０で波長をλ１に変換され、他の光信号と波長多重される。波長多重光信号は、光ファイバ６０４を介して、対向するＷＤＭ装置５２０で受信される。波長λ１の光信号は、ＷＤＭ装置５２０でＯＴＮ終端された後、ＯＸＣ装置２００のポート５Ｒに送られる。ＯＸＣ装置２００は、ポート５Ｒの出力先としてポート２Ｔが選択されている。したがって、光信号は、ＯＸＣ装置２００のポート２と接続されたＷＤＭ装置５１０の送受信トランスポンダ５１１で受信される。送受信トランスポンダ５１１は、光信号に波長多重区間で有効なＯＴＮ管理情報を付加し、波長λ１に変換する。波長λ１に変換された光信号は、波長多重部５１４で、送受信トランスポンダ５１２からの波長λ２の光信号と、送受信トランスポンダ５１３からの波長λ３の光信号と多重される。波長多重光信号は、光ファイバ６０２に送出される。
【００２６】
光ファイバ６０２から送られてきた波長多重光信号は、ＷＤＭ装置５１０に対向するＷＤＭ装置５００の波長分離部５０５で波長分離される。波長分離部５０５は、波長λ１の光信号を送受信トランスポンダ５０１に、波長λ２の光信号を送受信トランスポンダ５０２に、波長λ３の光信号を送受信トランスポンダ５０３に送信する。送受信トランスポンダ５０１は、波長λ１の光信号を受信して、ＯＴＮ管理情報を終端し、波長多重区間の状態をモニタする。送受信トランスポンダ５０１の送信側は、ＯＸＣ装置１００のポート２Ｒと接続されているので、光信号は、ＯＸＣ装置１００のポート２Ｒに送られる。ＯＸＣ装置は、ポート２Ｒの出力先としてポート１Ｔを選択している。また、ポート１Ｔには、クライアント装置１０の受信側が接続されている。これによって、クライアント装置３０が送信した光信号は、クライアント装置１０で受信される。
【００２７】
さて、非選択系である予備系の状態を以下説明する。クライアント装置１０からの光信号は、ＯＸＣ装置１００で、その予備系のポートである５Ｔには送出されていない。すなわちブリッジされていない。したがって、図１で説明したように、ＷＤＭ装置５７０は、波長λ１の断検出信号を光ファイバ６０８に送出する。ＷＤＭ装置５６０は、波長λ１の断検出信号を受信して、ＯＸＣ装置３００のポート２Ｒに接続する当該光信号の停止を継続する。
【００２８】
ＯＸＣ装置３００は、ポート２Ｒに接続された光信号が停止していることを検出している。しかし、ポート２Ｒについては固定接続であるため、ＷＤＭ装置５５０への、当該光信号の停止を継続する。ＷＤＭ装置５５０とＷＤＭ装置５４０との間でも、同様に光ファイバ６０６は、波長λ１の断検出信号を伝送する。しかし、ＷＤＭ装置５４０は、光信号の停止状態を継続する。ＯＸＣ装置４００は、ポート５Ｒに接続された光信号が停止していることを検出している。しかし、ポート５Ｒは、予備系の受信用ポートであるため接続変更を行なわない。
【００２９】
逆方向の、予備系についても、上記とまったく同様に、光ファイバ６０５、６０７には、波長λ１の断検出信号が伝送されている。説明するまでのことではないが、ＯＸＣ装置３００、１００とも接続変更を行なわない。
上述した実施例で、パスの両端のＯＸＣ装置１００とＯＸＣ装置４００とを端局ノードと呼ぶ。また、パスの中間のＯＸＣ装置２００とＯＸＣ装置３００とを中継ノードと呼ぶ。現用系は、絶対的な名称ではなく、予備系と入れ替わることもあるので、選択系と呼ぶこともある。
【００３０】
図３および図４を参照しながら、パス切替の動作を説明する。図２で説明したクライアント装置１０とクライアント装置３０との通信において、ＷＤＭ装置５００とＷＤＭ装置５１０との間の光ファイバ６０１または図示しない光中継伝送装置で、断線障害が発生したとしよう。図３において、ＷＤＭ装置５１０は、これまで説明したように全光出力を遮断する。ＯＸＣ装置２００は、クライアント装置１０からの光信号が接続されていたポート２Ｒの入力信号が断になったことを検出する。しかし、接続変更は行なわない。したがって、ポート２Ｒに接続するポート５Ｔの接続先であるＷＤＭ装置５２０は、クライアント装置１０からの光信号が断になったことを検出する。ＷＤＭ装置５２０は、対向するＷＤＭ装置５３０に、光ファイバ６０３を介して、断検出信号を送信する。ＷＤＭ装置５３０は、断検出信号を受信して、ＯＸＣ装置４００への当該出力を切断する。ＯＸＣ装置４００は、ポート２Ｒで受信した信号の断を検出し、クライアント装置３０への出力を断する。
【００３１】
現用系の光信号入力断を検出したＯＸＣ装置４００は、受信側だけでなく送信側もペアで現用系から予備系にクロスコネクトを変更する。この結果、現用系を流れていたクライアント装置３０からクライアント装置１０への光信号は、現用系では断状態になり、予備系を流れることになる。図３では、この後半を説明する。
【００３２】
ＯＸＣ装置４００のクロスコネクト変更に伴って、クライアント装置３０からの光信号は、ＯＸＣ装置４００のポート５Ｔに接続したＷＤＭ装置５４０で波長λ１の光に変換され、波長多重される。波長多重光信号は、光ファイバ６０５を経由して対向するＷＤＭ装置５５０で受信される。ＷＤＭ装置５５０は、波長分離後の光信号を、ＯＸＣ装置３００のポート５Ｒに送出する。ＯＸＣ装置３００は、クライアント装置３０とクライアント装置１０との間の中継ノードであり、クロスコネクトの変更はしないので、そのままポート２Ｔから出力され、接続されたＷＤＭ装置５６０で波長λ１の光に変換され、波長多重される。波長多重光信号は、光ファイバ６０７を経由して対向するＷＤＭ装置５７０で受信される。ＷＤＭ装置５７０は、波長分離後の光信号を、ＯＸＣ装置１００のポート５Ｒに送出する。しかし、この時点ではＯＸＣ装置１００は、現用系の２Ｒ、２Ｔを選択しているので、クライアント装置１０には光信号は送出されていない。
【００３３】
現用系の光信号入力断を検出したＯＸＣ装置４００は、受信側だけでなく送信側もペアで選択系から予備系にクロスコネクトを変更する。この結果、現用系を流れていたクライアント装置３０からクライアント装置１０への光信号は、現用系では断状態になり、予備系を流れることになる。図４に移って、この前半を説明する。
【００３４】
ＯＸＣ装置４００のクロスコネクト変更に伴って、クライアント装置３０からの光信号は、ＯＸＣ装置４００のポート２Ｔからの出力を停止する。ＷＤＭ装置５３０は、この出力停止を断線と判断する。ＷＤＭ装置５３０は、断検出信号を対向するＷＤＭ装置５２０に送出する。ＷＤＭ装置５２０は、断検出信号を受信して、その出力を断状態にする。入力が断したＯＸＣ装置２００は、クライアント装置３０とクライアント装置１０との間の中継ノードであり、クロスコネクトの変更はしないので、そのままポート２Ｔからの光信号が停止される。以下説明を省略するが、光信号断は、遠端ノードのＯＸＣ装置１００の２Ｒまで伝播する。ＯＸＣ装置１００は、光入力断を検出すると、クライアント装置３０への信号出力を断する。
【００３５】
現用系の光信号入力断を検出したＯＸＣ装置１００は、受信側だけでなく送信側もペアで現用系から予備系にクロスコネクトを変更する。ＯＸＣ装置４００は、既に受信側だけでなく送信側もペアで現用系から予備系にクロスコネクトを変更済みなので、ＯＸＣ装置１００のクロスコネクト変更により、双方向のパス切替が完了する。双方向のパス切替により、クライアント装置１０とクライアント装置３０との間の通信が復旧する。
【００３６】
次に、本実施例のパス切替をシーケンス図である図５で説明する。
図５において、左端は端局ノードであるＯＸＣ装置１００であり、上下に伸びた直線は、そのポート１Ｒ、１Ｔ、２Ｒ、２Ｔ、５Ｒ、５Ｔを意味する。右端は端局ノードであるＯＸＣ装置４００のポート５Ｒ、５Ｔ、２Ｒ、２Ｔ、１Ｒ、１Ｔである。両者の間には、ＯＸＣ装置２００とＯＸＣ装置３００とを記載した。ＯＸＣ装置２００、３００は、中継ノードなのでポートの切替を行なわず、それぞれ２Ｒ、２Ｔ、５Ｒ、５Ｔである。
【００３７】
図５の縦軸方向は、上から（ａ）正常状態、（ｂ）障害発生状態、（ｃ）切替過渡状態、（ｄ）切替完了状態を説明する図になっている。”Ｒ”で示すＯＸＣ装置の受信側で、”○”は受信信号の入力光レベルが正常であることを意味し、”×”は受信信号の入力光レベルが異常（信号断）であることを意味する。また、”Ｔ”で示すＯＸＣ装置の送信側で、横向きの”▲（黒三角）”は、クロスコネクト設定がされており、信号出力が正常であることを意味し、横向きの”△（白三角）”は、クロスコネクト設定がされているが、信号断を意味する。さらに、”Ｔ”で示すＯＸＣ装置の送信側で、”▲”または ”△”のいずれでも無い場合は、クロスコネクト設定がされておらず、信号断を意味する。
【００３８】
また、実線は信号が流れていることを意味し、破線は信号が流れていないことを意味する。また、”[  ]”で括った部分は、非選択系の意味である。さらに、ノード間にはＷＤＭ網が存在するが、ＷＤＭ網も伝送路とみなすことができるので、記載を省いている。なお、中継ノードも伝送路とみなすことができる。
【００３９】
図５（ａ）の正常状態で、ＯＸＣ装置１００のポート１Ｒは、クライアント装置からの光信号を正常に受け、ポート２Ｔから送出している。ＯＸＣ装置２００のポート２Ｒは、ＯＸＣ装置１００からの光信号を正常に受け、ポート５Ｔから送出している。ＯＸＣ装置４００のポート２Ｒは、ＯＸＣ装置２００からの光信号を正常に受け、ポート１Ｔからクライアント装置に送出している。
【００４０】
また、ＯＸＣ装置４００のポート１Ｒは、クライアント装置からの光信号を正常に受け、ポート２Ｔから送出している。ＯＸＣ装置２００のポート５Ｒは、ＯＸＣ装置４００からの光信号を正常に受け、ポート２Ｔから送出している。ＯＸＣ装置１００のポート２Ｒは、ＯＸＣ装置２００からの光信号を正常に受け、ポート１Ｔからクライアント装置に送出している。
【００４１】
ＯＸＣ装置１００、４００は、予備系に光信号をブリッジしていないので、予備系のＯＸＣ装置３００は、光信号を受信も送信もしていない。但し、ＯＸＣ装置３００は、受信ポート２Ｒと送信ポート５Ｔ間、および受信ポート５Ｒと送信ポート２Ｔ間を接続している。また、ＯＸＣ装置１００、４００のそれぞれのポート５Ｒは、光信号を受信しておらず、どの送信ポートとも接続されていない。また、ポート５Ｔは、どの受信ポートとも接続されていない。
図５（ｂ）に示す、現用系パスのＯＸＣ装置１００とＯＸＣ装置２００の間の障害時には、ＯＸＣ装置２００のポート２Ｒは障害を検出して、ポート５Ｔから信号は断となり、ＯＸＣ装置４００のポート２Ｒは障害を検出して、ポート１Ｔからの信号出力を断にする。
【００４２】
図５（ｃ）では、ＯＸＣ装置４００は、ポート２Ｒの障害検出を受けて、ポート１Ｔと接続する受信ポートを２Ｒから５Ｒに変更し、ポート１Ｒと接続する送信ポートを２Ｔから５Ｔに変更した状態である。ＯＸＣ装置１００からＯＸＣ装置４００への光信号については、図５（ｂ）と同様であるが、ＯＸＣ装置４００が送信ポートと受信ポートとを予備系に切り替えたので、ＯＸＣ装置３００のポート５ＲはＯＸＣ装置４００からの光信号を受けて、ポート２Ｔに送出している。ＯＸＣ装置３００のポート２Ｔと接続したＯＸＣ装置１００の５Ｒは、光信号を検出しているが、クロスコネクトの設定変更が未完了なので、クライアント装置と接続したポート１Ｔには、クロスコネクトされていない。一方、現用系のＯＸＣ装置２００の５Ｒへの信号は、ＯＸＣ装置４００のパス切替により、断状態になる。同様に、ＯＸＣ装置１００のポート２Ｒへの入力は、断状態になり、クライアント装置と接続したポート１Ｔも断状態になる。
【００４３】
次に、図５（ｄ）に示すように、ＯＸＣ装置１００のポート２Ｒへの入力が断となったのを受けて、ＯＸＣ装置１００は、ポート１Ｒと接続する送信ポートを２Ｔから５Ｔに変更し、ポート１Ｔと接続する受信ポートを２Ｒから５Ｒに変更し、予備系を選択する。受信ポート５Ｒには、すでにＯＸＣ装置４００からの光信号が到達しているので、予備系選択により、ＯＸＣ装置１００に接続されたクライアント装置は信号を受信できる。また、ＯＸＣ装置３００は、クロスコネクトの接続変更を実施せず、ＯＸＣ装置４００は既に予備系を選択しているので、ＯＸＣ装置１００の予備系選択により、ＯＸＣ装置４００に接続されたクライアント装置は信号を受信できる。したがって、障害検出からのパス切替は、図５（ｃ）と図（ｄ）との２ステップで終了する。
【００４４】
図６ないし図９を用いて、本実施例でのＯＸＣ装置の構成と、端局ノードであるパスの両端に位置するＯＸＣ装置の動作を説明する。本実施例では、ＯＸＣ装置１００〜４００は、いずれも等価なＯＸＣ装置であるので、図６（ａ）に記載したＯＸＣ装置１００の構成のみ説明する。
【００４５】
ＯＸＣ装置１００は、８入力×８出力の光スイッチ１３０と光レベルモニタ部１２０と制御部１１０とで構成される。受信ポート１４０からの光信号は、光カプラ（Optical Coupler）１６０で一部を分岐したあと、光スイッチ１３０に導かれる。光スイッチ１３０は、８本の入力を制御部１１０からの制御信号に基づいて、８本の出力のいずれか一に出力し、送信ポート１５０から光信号を送出する。光カプラ１６０が分岐した光信号は、光レベルモニタ部１２０に集められ、図示しないフォトダイオードアレイで、電気信号に変換される。光レベルモニタ部１２０は、電気信号のレベルと基準電圧と比較し、信号断／信号回復を判断する。判断結果は、制御部１１０に送られる。なお、信号回復を判断する基準電圧は、信号断を判断する基準電圧より、高く設定する。これは、信号断と信号回復との繰り返しを、防ぐためである。
【００４６】
制御部１１０は、ＣＰＵ１１１とメモリ１１２とパス切替管理部１１３とそれらを接続するバス１１４とから構成される。パス切替管理部１１３に記録したパス切替管理テーブルは、上位装置である網管理装置を用いて設定する。パス切替管理テーブルは、後述する。制御部１１０は、光レベルモニタ部１２０のモニタ結果と、網管理装置からの情報とに基づいて、パス切替管理テーブルを参照し、光スイッチ１３０を切り替える。
【００４７】
クライアント装置１０とクライアント装置３０との間のパスについて、光スイッチの接続状態を、以下説明する。図６は、双方向の光信号伝送に異常のない、現用系を選択した状態である。なお、光レベルモニタ部に付した”○”は、入力光信号が正常であることを意味し、”×”は、入力光信号が正常であることを意味する。すなわち、図６（ａ）で、クライアント装置１０からの光信号とＯＸＣ装置２００からの光信号とは正常であり、現用系を選択しているため予備系のＯＸＣ装置３００からの光信号は断している。また、光スイッチ１３０クロスコネクト状態は、クライアント装置１０からの光信号をＯＸＣ装置２００に接続し、ＯＸＣ装置２００からの光信号をクライアント装置１０に接続している。なお、図６ないし図９では、ノード間とクライアント装置で説明するが、ノード間にＷＤＭ装置があるのは、前述の通りである。
【００４８】
図６（ｂ）で、クライアント装置３０からの光信号とＯＸＣ装置２００からの光信号とは正常であり、現用系を選択しているため、予備系のＯＸＣ装置３００からの光信号は断している。また、光スイッチ４３０のクロスコネクト状態は、クライアント装置３０からの光信号をＯＸＣ装置２００に接続し、ＯＸＣ装置２００からの光信号をクライアント装置３０に接続している。
【００４９】
図７は、現用系パスのクライアント装置１０からクライアント装置３０への光信号が、断した状態である。すなわち、光スイッチ１３０、４３０の接続設定は、正常時の図６と同様だが、光レベルモニタ部４２０は、ポート２Ｒの入力信号について異常を検出している。
図８は、現用系パスのクライアント装置１０からクライアント装置３０への光信号の断により、制御部４１０が光スイッチ４３０の接続設定を変えた状態である。クライアント装置３０からの光信号は、予備系のＯＸＣ装置３００に接続変更し、クライアント装置３０の受信部への接続も、予備系のＯＸＣ装置３００からに変更する。この時点では、予備系には光信号が流れていないので、クライアント装置３０の受信側は、断状態を継続する。ＯＸＣ装置４００の接続変更に伴って、ＯＸＣ装置１００の光レベルモニタ部１２０は、現用系のＯＸＣ装置２００からの光信号断と、予備系のＯＸＣ装置３００からの光信号回復を検出する。現用系のＯＸＣ装置２００からの光信号断を受けて、クライアント装置１０の受信側は、断になる。
【００５０】
図９は、現用系パスのクライアント装置３０からクライアント装置１０への光信号の断により、制御部１１０が光スイッチ１３０の接続設定を変えた状態である。クライアント装置１０からの光信号は、予備系のＯＸＣ装置３００に接続変更し、クライアント装置１０の受信部への接続も、予備系のＯＸＣ装置３００からに変更する。光スイッチ１３０には、すでにクライアント装置３０からの光信号が届いているので、クライアント装置１０は光信号を受信する。対向側のＯＸＣ装置４００でも、予備系にクライアント装置１０からの光信号が流れるので、光レベルモニタ部４２０がこれを検出する。また、光スイッチ４３０は、すでに予備系のＯＸＣ装置３０とクライアント装置３０の受信側とを、接続しているので、クライアント装置３０は受信を再開する。以上の通り、パス切替が完了し、障害が回復し、双方向伝送が再開される。
【００５１】
図１０および図１１を用いて、パス切替に要する状態遷移を説明する。
図１０は、予備系有無、選択系、現用系障害状況、予備系障害状況という４件の状態の組み合わせにより定義されるＯＸＣ装置の状態と、起こりうるイベントが発生した場合の遷移先状態をまとめた切替状態遷移表である。
【００５２】
切替状態ＩＤ欄の、例えば1-1-1-1は、順に予備系有無：有（１）、選択系：現用系（１）、現用系障害状況：正常（１）、予備系障害状況：正常（１）を意味する。なお、本実施例では現用系で運用しているとき、予備系に信号は流れないので、現用系、予備系とも正常ということは、ありえない。そのため、各イベント欄に斜め線を入れている。これは、1-2-1-1も同様である。予備系有無は、有（１）無（２）のいずれか、選択系は、現用系（１）予備系（２）のいずれか、現用系障害状況は、正常（１）異常（２）のいずれか、予備系障害状況は、正常（１）異常（２）予備系なし（０）のいずれかである。
【００５３】
起こりうるイベントは、１．予備系ＸＣ追加、２．予備系ＸＣ削除、３．現用系→予備系ＸＣ変更(パス切替)、４．予備系→現用系XC変更(パス切替)、５．現用系障害検出、６．現用系障害検出+予備系障害回復検出、７．現用系障害回復検出、８．予備系障害検出、９．予備系障害検出+現用系障害回復検出、１０．予備系障害回復検出である。ＯＸＣ装置の切替状態の列と、イベントの行との交点に、イベントが発生した際の、切替状態の遷移先の状態を記載している。なお、”−”は、その切替状態で、そのイベントは起こらないことを意味する。例えば、２．予備系削除は、そもそも予備系がない2-1-1-0、2-1-2-0では起こらない。また、１．予備系ＸＣ追加、２．予備系ＸＣ削除は、上位の網管理装置による制御であり、項番３ないし１０のイベントに対し、ＯＸＣ装置は、自立的に遷移する。
【００５４】
図１０に示した切替状態遷移表の出発点および終着点は、選択系が現用系で現用系に異常のない1-1-1-2または選択系が予備系で予備系に異常のない1-2-2-1である。また、予備系を選択している状態で、２．予備系ＸＣ削除のイベントが発生する場合は、同時に現用系へのクロスコネクトの変更を実施する（図中”＊”マークの遷移）。
図６ないし図９も参照しながら、各図の状態でのＯＸＣ装置１００、４００の状態を、以下確認する。
【００５５】
まず、図６は、現用パス正常状態であり、ＯＸＣ装置１００、４００とも1-1-1-2の状態である。図７の現用パス障害発生状態では、ＯＸＣ装置１００は、1-1-1-2のまま、ＯＸＣ装置４００は、現用系の障害を検出し1-1-2-2に遷移する。図８の切替過渡状態では、ＯＸＣ装置１００は、現用系の障害と予備系の障害回復を検出し1-1-2-1に遷移し、ＯＸＣ装置４００は、予備系にパス切替して1-2-2-2に遷移する。図９の切替完了では、ＯＸＣ装置１００は、予備系にパス切替し、1-2-2-1（選択系：予備系、予備系：正常）に遷移する。また、ＯＸＣ装置４００は、予備系の回復を検出し、1-2-2-1（選択系：予備系、予備系：正常）に遷移する。
【００５６】
図１１は、図１０に示した図示した切替状態遷移表を、分かりやすく図示した状態遷移図である。図１０と対比しながら図１１を説明すると、まず、予備系無は考慮せず、現用系選択の３切替状態を、現用系正常を中心に図の上部に並べ、対応する予備系選択の３切替状態を図の下部に並べている。そして、図１０のイベント項番３ないし８に対応する遷移を、イベント項番を付した矢印で表した。また、選択系を現用→予備に切り替える際、先に切替要因を検出したＯＸＣ装置の遷移ルートを、太い実線の矢印Ａで示し、対向側の切替に従属するＯＸＣ装置の遷移ルートを、太い２点鎖線の矢印Ａ’で示した。また、選択系を予備→現用に切り替える際、先に切替要因を検出したＯＸＣ装置の遷移ルートを、太い１点鎖線の矢印Ｂで示し、対向の切替に従属するＯＸＣ装置の遷移ルートを、太い破線の矢印Ｂ’で示した。
【００５７】
図１２ないし図１５を用いて、図６ないし図９のパス切替管理部に記録するパス切替管理テーブルを説明する。
図１２ないし図１５は、（１）現用パス正常、（２）現用パス障害発生、（３）切替過渡、（４）切替完了の各状態における、（ａ）ＯＸＣ装置１００、（ｂ）ＯＸＣ装置２００、（ｃ）ＯＸＣ装置３００、（ｄ）ＯＸＣ装置４００のパス切替管理テーブルの内容である。図１２の右に図１３を置くことによって、（１）現用パス正常と（２）現用パス障害発生との状態での、各ノードの状態を確認できる。図１２の下に図１４を置き、図１４の右に図１５を置くことによって、（３）切替過渡と（４）切替完了との状態での、各ノードの状態を確認できる。また、各ノードの各状態における各ＯＸＣ装置のパス切替管理テーブルの内容を、時系列的に確認できる。
【００５８】
図１２（１）（ａ）を参照して、図の見方を説明する。パスインデックス７１０の列は、パスの参照番号である。本実施例では、図２のクライアント装置１０とクライアント装置３０との間のパスのみに注目しているので、参照番号は、”0001”のみである。ポート番号７２０の列は、ＯＸＣ装置１００のポート番号、方向７３０の列は、ポートの方向を示し、”Ｒ”は受信、”Ｔ”は送信である。自ポート障害状態７４０列は、受信ポートでの信号が正常か否かである。現用ＸＣ７５０列は、当該ポートの現用での接続ポートであり、予備ＸＣ列７６０は、当該ポートの予備での接続ポートである。予備ＸＣの”−”は、予備の接続先が無いことを意味する。自ポート選択状態７７０の列は、自ポートが選択系であるか非選択系であるかである。また、図中D.C.は、Don't Careであり、今回注目するパスには関係しないことを意味する。
【００５９】
図６をさらに参照しながら説明すると、網管理装置からパスインデックスと現用系のパス接続元とパス接続先との情報を、ＯＸＣ装置１００の制御部１１０が受け取る。制御部１１０は、パス切替管理部１１３のパス切替テーブル７００のポート１とポート２のパスインデックス７１０の欄に、「0001」を書き込む。これに続いて、制御部１１０は、パス切替テーブル７００のポート１Ｒ、１Ｔ、２Ｒ、２Ｔの現用ＸＣ７５０の欄に、それぞれの接続先である「２Ｔ」、「２Ｒ」、「１Ｔ」、「１Ｒ」を書き込む。また、制御部１１０は、パス切替管理テーブル７００のポート１Ｒ、１Ｔ、２Ｒ、２Ｔの自ポート選択状態７７０の欄に、「選択」を書き込む。
【００６０】
次に、網管理装置からパスインデックスと予備系のパス接続元とパス接続先との情報を、ＯＸＣ装置１００の制御部１１０が受け取る。制御部１１０は、パス切替管理部１１３のパス切替テーブル７００のポート５のパスインデックス７１０の欄に、「0001」を書き込む。続いて、制御部１１０は、パス切替テーブル７００のポート５Ｒ、５Ｔの現用ＸＣ７５０の欄に、それぞれの接続先である「１Ｔ」、「２Ｒ」を書き込む。また、制御部１１０は、パス切替テーブル７００のポート１Ｒ、１Ｔの予備ＸＣ７６０の欄に、それぞれの接続先である「５Ｔ」、「５Ｒ」を書き込む。さらに、制御部１１０は、パス切替管理テーブル７００のポート５Ｒ、５Ｔの自ポート選択状態７７０の欄に、「非選択」を書き込む。
【００６１】
本実施例のＯＸＣ装置は、クロスコネクトの設定ルールは、同一のパスインデックスを持ち、自ポート選択状態が「選択」となっているポートのＲとＴとを接続することである。したがって、欄外に付した矢印のように、ポート１Ｒ→ポート２Ｔ、ポート２Ｒ→ポート１Ｔが接続される。
【００６２】
接続が終了すると、図６の光レベルモニタ部１２０による監視が開始され、監視結果が、パス切替管理テーブル７００の自ポート障害状態７４０に書き込まれる。具体的には、光レベルモニタ部１２０は、ポート１Ｒとポート２Ｒで受信した光信号が正常であること、ポート５Ｒが断状態であることを、制御部１１０に報告する。この報告に基づいて、制御部１１０は、パス切替管理テーブル７００のポート１Ｒ、２Ｒの自ポート障害状態７４０の欄に、「正常」を書き込み、ポート５Ｒの自ポート障害状態７４０の欄に、「断」を書き込む。「正常」「断」の書き込みは、状態が変化したときに行なう。
【００６３】
次に、自ポート選択状態の選択−非選択間の切替手順を、説明する。
ＯＸＣ装置の制御部は、各ポートの自ポート障害状態が「正常」ならば何もしない。各ポートの自ポート障害状態が「断」で、自ポート選択状態が「非選択」であっても何もしない。各ポートの自ポート障害状態が「断」で、自ポート選択状態が「選択」のときは、接続先のポートの現用ＸＣと予備ＸＣを参照する。接続先のポートが現用ＸＣのみで、予備ＸＣがない場合は、何もしない。接続先のポートに、現用ＸＣと予備ＸＣがある場合、自分自身で無い側の接続先のポートの双方向の自ポート選択状態を「非選択」から「選択」に書き変え、自分自身のポートの双方向の自ポート選択状態を「選択」から「非選択」に書き変える。
【００６４】
ここで、『自ポート障害状態が「断」で、自ポート選択状態が「非選択」』とは、例えば、現用パス正常時の、ＯＸＣ装置１００のポート５Ｒの状態である。また、『自ポート障害状態が「断」で、自ポート選択状態が「選択」で、接続先のポートが現用ＸＣのみ』とは、例えば、現用系パス障害発生時の中継ノードであるＯＸＣ装置２００のポート２Ｒである。非選択→選択、選択→非選択の変更を伴う場合が、パスの切替である。
【００６５】
具体的には、図１４で、（３）切替過渡状態において、ＯＸＣ装置１００のポート２Ｒは、「断」を検出しているが、「選択」であるため、接続先の１Ｔの現用ＸＣ、予備ＸＣを参照し、自分自身（２Ｒ）でない５Ｒを見出す。（４）切替完了では、ＯＸＣ装置のポート５の双方向の自ポート選択状態を「選択」に変更し、ポート２の双方向の自ポート選択状態を「非選択」に変更している。
前述したクロスコネクトの設定ルールに従って、矢印に示す１Ｒ→５Ｔ、５Ｒ→１Ｔの切替がなされる。
【００６６】
上述の自ポート選択状態の「選択」⇔「非選択」の切替を、図１６を用いて、さらに説明する。図１６のフローは、ＯＸＣ装置の制御部で実行される。
まず、ｉに「１」をセットする（ステップ８０１）。ｉＲポートの自ポート障害状態を読み込んで「断」か否かを判定する（ステップ８０２）。Ｎｏの場合は、ｉをインクリメントする（ステップ８０９）。Ｙｅｓの場合は、ｉＲポートの自ポート選択状態を読み込んで、「選択」であるか否か判定する（ステップ８０３）。Ｎｏの場合は、ｉをインクリメントするステップ８０９に移行する。Ｙｅｓの場合、ｉＲポートの現用ＸＣの値を読み込む。値を仮にｊＴとする（ステップ８０４）。次にｊＴポートの現用ＸＣ、予備ＸＣを読み込む（ステップ８０５）。ｊＴポートの現用ＸＣ、予備ＸＣにｉＲ以外があるか判定する（ステップ８０６）。Ｎｏの場合は、ｉをインクリメントするステップ８０９に移行する。Ｙｅｓの場合、ｉＲ以外のポートを仮にｋＲとする（ステップ８０７）。さらに、ｋポートの双方向の自ポート選択状態を「選択」にし、またｉポートの双方向の自ポート選択状態を「非選択」にして（ステップ８０８）、ｉをインクリメントするステップ８０９に移行する。ｉをインクリメントするステップ８０９後に、ｉの値が９以上か判定し（ステップ８１０）、Ｙｅｓなら、ｉに「１」をセットするステップ８０１に戻り、それ以外ならステップ８０２に戻る。
【００６７】
なお、ステップ８０４からステップ８０６は、パスの接続先側で障害を検出した場合に、もう一方のパスの接続先を見つける手順である。しかし、図１６のフローに限定されるものではなく、例えば、次の手順も可能である。
まず、パスインデックスが同じポート番号を探す。この結果、パスインデックスが同じポートが、自ポート以外に１ポートしかなければ、それは固定接続なので、ステップ８０９に進む。パスインデックスが同じポートが、自ポート以外に２ポートあった場合、自ポートの接続先でないポート番号について、ステップ８０８の「選択」「非選択」の入れ替えを実施すればよい。
【００６８】
本実施例に拠れば、障害を検出したとき、受信側だけでなく送信側も非選択系に切り替えるＯＸＣ装置を得ることができた。また、障害を検出したとき、受信側も送信側も非選択系に切り替えないＯＸＣ装置を得ることができた。さらに、光信号は現用系または予備系の１系統（選択系）だけに流しておき、ＷＤＭ網でデファクトになっている断線障害を外に見せる制御方法を利用して、選択系に障害が発生した場合、中継ノードでは障害を伝播させ、端局ノードで検出する。障害発生を検出した端局ノードは、障害が発生した受信側だけでなく送信側も非選択系に切り替えるので、障害発生を検出した端局ノードに対向する他端の端局ノードも障害を検出し、非選択系に切り替えることができる。これによって、光レベルでもパス切替が実現できる。
【産業上の利用可能性】
【００６９】
本発明によって、光レベルのパス切替が可能となり、波長多重網の適用促進に貢献できる。
【図面の簡単な説明】
【００７０】
【図１】ＷＤＭ網の障害伝播を説明する図である。
【図２】本発明の実施例を説明する光ネットワークのブロック図であり、正常状態を示す。
【図３】本発明の実施例を説明する光ネットワークのブロック図であり、障害を検出した状態を示す。
【図４】本発明の実施例を説明する光ネットワークのブロック図であり、パス切替完了状態を示す。
【図５】本発明の実施例を説明するパス切替のシーケンス図である。
【図６】本発明の実施例を説明する正常時の端局ノードのＯＸＣ装置の動作を説明する図である。
【図７】本発明の実施例を説明する障害発生時の端局ノードのＯＸＣ装置の動作を説明する図である。
【図８】本発明の実施例を説明する切替過渡時の端局ノードのＯＸＣ装置の動作を説明する図である。
【図９】本発明の実施例を説明する切替完了時の端局ノードのＯＸＣ装置の動作を説明する図である。
【図１０】本発明の実施例を説明する遷移先をまとめた切替状態遷移表である。
【図１１】本発明の実施例を説明する状態遷移図である。
【図１２】本発明の実施例を説明するＯＸＣ装置のパス切替管理テーブルである。
【図１３】本発明の実施例を説明するＯＸＣ装置のパス切替管理テーブルである。
【図１４】本発明の実施例を説明するＯＸＣ装置のパス切替管理テーブルである。
【図１５】本発明の実施例を説明するＯＸＣ装置のパス切替管理テーブルである。
【図１６】本発明の実施例を説明するＯＸＣ装置のパス切替管理テーブルを書き換えるフローチャートである。
【符号の説明】
【００７１】
１０、２０、３０、４０、５０、６０…クライアント装置、１００、２００、３００、４００…ＯＸＣ装置、１１０、４１０…制御部、１２０、４２０…光レベルモニタ部、１３０、４３０…光スイッチ、１４０、４４０…受信ポート、１５０、４５０…送信ポート、１６０、４６０…光カプラ、５００、５１０、５２０、５４０、５５０、５６０、５７０…ＷＤＭ装置、６００、６０１、６０２、６０３、６０４、６０５、６０７、６０８…光ファイバ、７１０…パスインデックス、７２０…ポート番号、７３０…方向、７４０…自ポート障害状態、７５０…現用ＸＣ、７６０…予備ＸＣ、７７０…自ポート選択状態、９００…送信ＷＤＭ装置、９５０…受信ＷＤＭ装置。
【図１】
2006033580.tif 000003
【図２】
2006033580.tif 000004
【図３】
2006033580.tif 000005
【図４】
2006033580.tif 000006
【図５】
2006033580.tif 000007
【図６】
2006033580.tif 000008
【図７】
2006033580.tif 000009
【図８】
2006033580.tif 000010
【図９】
2006033580.tif 000011
【図１０】
2006033580.tif 000012
【図１１】
2006033580.tif 000013
【図１２】
2006033580.tif 000014
【図１３】
2006033580.tif 000015
【図１４】
2006033580.tif 000016
【図１５】
2006033580.tif 000017
【図１６】
2006033580.tif 000018